(57)【要約】【課題】縫い目から裂けることのない強度の高いランドセルの提供。【解決手段】大襠板１６の後縁部に背護板１１を、前縁部に大仕切板２０を縫合して筐体Ｃをなし、上記背護板１１の上縁部に蓋板６の基端部を縫合するとともに、上記大襠板１６に前ポケット部Ｂを縫合してなるランドセルにおいて、上記大襠板１６，背護板１１，大仕切板２０，蓋板６および前ポケット部Ｂの上記各縫合箇所に補強テープＴ２，Ｔ３，Ｔ４，Ｔ６を挟み込み、かつその各補強テープＴ２，Ｔ３，Ｔ４，Ｔ６が、大襠板１６と背護板１１との間，大襠板１６と大仕切板２０との間，背護板１１と蓋板６との間および大襠板１６と前ポケット部Ｂとの間において互いの端部等を重合した状態にして縫合されているランドセル。【選択図】  図９
2004201960.tif 000002
【特許請求の範囲】
【請求項１】
大襠板の後縁部に背護板を、前縁部に大仕切板を縫合して筐体をなし、上記背護板の上縁部に蓋板の基端部を縫合するとともに、上記大襠板に前ポケット部を縫合してなるランドセルにおいて、上記大襠板，背護板，大仕切板，蓋板および前ポケット部の上記各縫合箇所に補強テープを挟み込み、かつその各補強テープが、大襠板と背護板との間，大襠板と大仕切板との間，背護板と蓋板との間および大襠板と前ポケット部との間において互いの端部等を重合した状態にして縫合されていることを特徴とするランドセル。
【発明の詳細な説明】
【０００１】
【発明の属する技術分野】
本発明はランドセルに関する。
【０００２】
【従来の技術】
ランドセルを構成する各部材は、かつては牛革等の天然皮革を主体とし、それに芯材等を重合，接着し、縫い糸で縫合することによって作製されていたが、近年は、その天然皮革とともに人工皮革等の薄くて軽い材料が用いられており（例えば、特許文献１参照。）、ランドセルの軽量化が図られている。
【０００３】
【特許文献１】
登録実用新案第３００４１３９号公報
【０００４】
【発明が解決しようとする課題】
しかし、人工皮革等の材料は強度が充分でないので、長年の使用により縫い目のところから裂けてしまうという問題があった。
【０００５】
そこで本発明は、縫い目から裂けることのない強度の高いランドセルを提供することを目的とする。
【０００６】
【課題を解決するための手段】
請求項１記載の本発明ランドセルは、大襠板１６の後縁部に背護板１１を、前縁部に大仕切板２０を縫合して筐体Ｃをなし、上記背護板１１の上縁部に蓋板６の基端部を縫合するとともに、上記大襠板１６に前ポケット部Ｂを縫合してなるランドセルにおいて、上記大襠板１６，背護板１１，大仕切板２０，蓋板６および前ポケット部Ｂの上記各縫合箇所に補強テープＴ２，Ｔ３，Ｔ４，Ｔ６を挟み込み、かつその各補強テープＴ２，Ｔ３，Ｔ４，Ｔ６が、大襠板１６と背護板１１との間，大襠板１６と大仕切板２０との間，背護板１１と蓋板６との間および大襠板１６と前ポケット部Ｂとの間において互いの端部等を重合した状態にして縫合されているものである。
【０００７】
【発明の実施の形態】
以下、本発明の一実施形態に係るランドセルＡについて図１〜１２を参照し詳しく説明する。
【０００８】
１は、外装材２と，芯材３と，内装材４を重合，接着するとともに、その左右縁部を縫い糸で縫合した舌片で、それは先端に金具５を備えている。
Ｔ１，Ｔ１は上記左右縁部の縫合箇所の、芯材３と内装材４との間に挟み込んで接着してある補強テープであり、上記の縫合はこの補強テープＴ１ごと行っている。
【０００９】
上記補強テープＴ１および後記の各補強テープＴ２，Ｔ３，……は、たとえばポリエステル繊維、高分子ポリエチレン繊維、ナイロン繊維、アクリル繊維、炭素繊維、天然繊維（綿，麻や動物系の繊維）等、本実施形態のランドセルＡの各部材の材料として用いられている牛革や人工皮革，樹脂材料等よりも十分に引っ張り強度が高く、伸びにくい繊維素材を編んでなるものである。
特に、これらの繊維素材のうち環境負荷が低いもの、すなわち焼却処分可能で、焼却時に有毒ガスが発生しないものを用いるのが好ましい。たとえば、環境負荷が低いだけでなく、高い耐薬品，耐水性をも備えた超高分子ポリエチレン繊維である東洋紡績株式会社製のダイニーマ（Ｄｙｎｅｅｍａ（登録商標））等が好適である。
【００１０】
上記舌片１は縫合箇所に補強テープＴ１を挟み込んでいるので、引っ張り強度が高く、縫い目から裂けたりすることのないものになっている。しかも、補強テープＴ１は、芯材３と内装材４との間に挟み込まれており、外見上は見えないようになっている。
【００１１】
６は、外装材７と内装材８を重合，接着するとともに、左右縁部および先端縁部に保護部材９を被覆，接着し、その保護部材９の上から縫い糸で縫合されている蓋板である。
Ｔ２は上記左右縁部および先端縁部の縫合箇所の、上記外装材７と内装材８との間に挟み込んで接着してある補強テープＴ２であり、上記の縫合はこの補強テープＴ２ごと行っている。
これにより、蓋板６は引っ張り強度が高く、縫い目から裂けたりすることのないものになっている。
なお、上記補強テープＴ２の端部は、該蓋板６の基端部から延出している。
【００１２】
その蓋板６の先端縁部には、上記舌片１の基端を重合してあり、それらは鋲１０，１０で固定されるとともに、縫い糸で縫合されている。その縫合は、蓋材６の先端縁部に沿って補強テープＴ２の上から行っており、これにより補強テープＴ１とＴ２はそれらの交差部分を重合した状態で縫合され、換言すれば互いに連結された状態となっている。
【００１３】
１１は、外装材１２…と，緩衝材１３と，芯材１４と，内装材１５を重合，接着してなる背護板である。
Ｔ３は上記背護板１１の外周縁の、上記緩衝材１３と芯材１４の間に挟み込んで接着してある補強テープである。
【００１４】
１６は、横長の芯材１７の下面に、それよりもやや幅広の外装材１８を重合，接着するとともに、上面の左右両端に内装材１９，１９を重合，接着して、上記外装材１８の、上記芯材１７の前縁部側外方に延出した部分１８’を該芯材１７上に折り返し、さらに、該芯材１７の左右両側部分を２箇所の折り目で直角に起立させて側壁１６ａ，１６ｂを形成し、全体を略Ｕ字状にしてなる大襠板である。
【００１５】
Ｔ４は、その大襠板１６の前縁部の、芯材１７と外装材１８の間に挟み込んで接着してある補強テープである。
Ｔ５，Ｔ５は、大襠板１６の上面に、上記の２箇所の折り目に沿って、かつ、基端を上記補強テープＴ４と重合して接着してある補強テープである。
Ｔ６，Ｔ６は、上記側壁１６ａ，１６ｂの上端縁部の、芯材１７と外装材１８の間に挟み込んで接着した補強テープで、それらの両端は側壁１６ａ，１６ｂの前方および後方に延出している。
【００１６】
２０は芯材２１の前面の上縁部に装飾材２２を貼着してなる大仕切板である。
【００１７】
２３は補強テープ挿通孔２４…を開設した芯材２５の前面の上縁部に装飾材２６を貼着した中仕切板である。
【００１８】
２７は、補強テープ挿通孔２８…およびベルト挿通孔２９…を開設した芯材３０の前面に、小ポケット材３１を貼着した前仕切板である。
その小ポケット材３１は、上端部にファスナーを備えているもので、その周縁部の後面を上記芯材３０の前面に貼着して，縫い糸で縫合されており、これによって該芯材３０との間に小ポケットを形成している。
Ｔ７はその縫合箇所の、芯材３０と小ポケット材３１の間に挟み込んで接着してある補強テープであり、上記の縫合はこの補強テープＴ７ごと行っている。
【００１９】
Ｂは、上記中仕切板２３および前仕切板２７それぞれの左右縁部および下縁部に蛇腹状の周壁シート３２を縫合してなる前ポケット部である。
Ｔ８…は、上記前仕切板２７の貫通孔２８…および上記中仕切板２３の貫通孔２４…を貫通して前ポケット部Ｂ内に配置されている補強テープで、その基端は、上記前仕切板２７の芯材３０と小ポケット材３１の間に、上記補強テープＴ７に重合して挟み込まれて縫合され、上記補強テープＴ７と連結された状態になっている。
【００２０】
本発明ランドセルＡは、上記の各部材を以下のように重合，接着し、縫合してなる。
【００２１】
上記大襠板１６の側壁１６ａ，１６ｂの補強テープＴ６，Ｔ６の後端は、上記背護板１１の緩衝材１３と芯材１４の間に該背護板１１の上縁部に沿って挟み込まれ、背護板１１の補強テープＴ３と重合，接着されている。
また、上記蓋板６の基端部から延出している補強テープＴ２の端部は、上記背護板１１の緩衝材１３と芯材１４の間に該背護板１１の左右縁部に沿って挟み込まれ、上記補強テープＴ３およびＴ６と重合，接着されている。
【００２２】
上記大襠板１６の後縁部の所要幅は外方に折り返され、その折返し部分は背護板１１前面の左右縁部および下縁部に重合，接着され、縫い糸で縫合されている。
その縫合は、縫合箇所に挟み込まれている補強テープＴ２，Ｔ３，Ｔ６ごと行われていて、それら補強テープＴ２，Ｔ３，Ｔ６は、互いに連結された状態になっている。また、補強テープＴ５，Ｔ５の先端は、上記背護板１１の下縁部において補強テープＴ３と縫合され、連結された状態になっている。
これによって、背護板１１と大襠板１６の縫合箇所は、引っ張り強度が高く、縫い目から裂けたりすることがないものになっている。
【００２３】
背護板１１の後面の上縁部には、上記蓋板６の基端部を折り返して重合し、その折返し部分を接着し、縫い糸で縫合している。
その縫合は、縫合箇所に挟み込まれている上記補強テープＴ２，Ｔ３，Ｔ６ごと行っている。
これによって、蓋板６と背護板１１の縫合箇所は、引っ張り強度が高く、縫い目から裂けたりすることがないものになっている。
【００２４】
上記大襠板１６の側壁１６ａ，１６ｂの補強テープＴ６，Ｔ６の前端は、大仕切板２０の芯材２１と装飾材２２の間に、該大仕切板２０の上縁部に沿って挟み込まれて接着されている。
【００２５】
上記大襠板１６の前縁部には、上記大仕切板２０の左右縁部および下縁部を後方に折り返して重合接着し、縫い糸で縫合している。また、上記前ポケット部Ｂの周壁シート３２の後縁部は、上記大襠板１６の前縁部および上記大仕切板２０の上記折返し部分とともに重合，接着され縫い糸で縫合されている。
【００２６】
その縫合は、縫合箇所に挟み込まれている上記補強テープＴ４，Ｔ５およびＴ６ごと行っていて、それら補強テープＴ４，Ｔ５，Ｔ６は互いに縫合され連結された状態になっている。
これによって、大襠板１６と大仕切板２０と前ポケット部Ｂの周壁シート３２の縫合箇所は引っ張り強度が高く、縫い目から裂けたりすることがないものになっている。
【００２７】
また、補強テープＴ８…の先端は、上記大襠板１６の前縁部に、上記大仕切板２０および周壁シート３２とともに重合，縫合され、補強テープＴ４に連結された状態となっている。
【００２８】
上記の縫合により、背護板１１と大襠板１６と大仕切板２０は、上面を開口した直方体状の筐体Ｃを構成している。
【００２９】
３３は、上記筐体Ｃ上面の開口縁部の、側壁１６ａ，１６ｂの上縁部および大仕切板２０の上縁部を被覆するようにして接着し、縫い糸で縫合した保護部材である。
上記開口縁部は、保護部材３３の上から、上記補強テープＴ４，Ｔ６ごと縫合されているので引っ張り強度が高く、縫い目から裂けたりすることがないものになっている。
【００３０】
上記の通り、筐体Ｃは側壁１６ａ，１６ｂの前縁に補強テープＴ４を、後縁に補強テープＴ３を、開口縁部に補強テープＴ６を挟み込んで、その上から縫合されており、しかもそれらの補強テープＴ３，Ｔ４，Ｔ６は互いに連結された状態になっているから、引っ張り強度が高く、縫い目から裂けたりすることがないものになっている。
【００３１】
３４は上記前仕切板２７のベルト挿通孔２９…に挿通されたベルトである。
そのベルト３４には、補強テープが重合，接着されていて（図示しない）、その両端は、該補強テープとともに、上記背護板１１の外周縁部に重合，縫合されている。
【００３２】
３５は、背護板１１の左右縁部および下縁部と、そこに重合されている大襠板１６の後縁部とを被覆して、接着，縫合されている保護部材である。
大襠板１６と背護板１１と上記ベルト３４の先端は、この保護部材３５の上から、縫合されている。
【００３３】
３６は、背護板１１の上端の左右縁部、およびそこに重合されている大襠板１６の側壁１６ａ，１６ｂの上端の後縁部と、蓋板６の基端の左右縁部を被覆して、接着，縫合されている重合補強片である。
蓋板６の基端と大襠板１６および背護板１１の縫合部分は、この重合補強片３６の上から上記補強テープＴ２，Ｔ３，Ｔ６ごと縫合されている。
【００３４】
なお、上記において言及しなかった他の縫合箇所にも補強テープを挟み込み、その補強テープごと縫合することが好ましい。
【００３５】
【発明の効果】
以上述べたところから明らかなように、本発明ランドセルによれば次の効果を奏する。
【００３６】
大襠板の後縁部に背護板を、前縁部に大仕切板を縫合して筐体をなし、上記背護板の上縁部に蓋板の基端部を縫合するとともに、上記大襠板に前ポケット部を縫合してなるランドセルにおいて、上記大襠板，背護板，大仕切板，蓋板および前ポケット部の上記各縫合箇所に補強テープを挟み込み、かつその各補強テープが、大襠板と背護板との間，大襠板と大仕切板との間，背護板と蓋板との間および大襠板と前ポケット部との間において互いの端部等を重合した状態にして縫合されているので、各縫合箇所は強度が高く、縫い目から裂けたりすることがない。
【図面の簡単な説明】
【図１】本発明の一実施形態に係るランドセルの斜視図である。
【図２】そのランドセルの大襠板と前ポケット部の分解斜視図である。
【図３】同上のランドセルの蓋板と背護板の分解斜視図である。
【図４】（ａ）は背護板の斜視図、（ｂ）はその要部拡大斜視図である。
【図５】背護板の分解斜視図である。
【図６】大襠板の要部の一部切欠斜視図である。
【図７】上記ランドセルの縫合部分に挟み込まれ、互いに連結されている補強テープの斜視図である。
【図８】その補強テープの分解斜視図である。
【図９】筐体の上面開口周辺の斜視図である。
【図１０】図９のＩ−Ｉ線拡大断面図である。
【図１１】図１０の各部材を分解した状態の断面図である。
【図１２】筐体の上面開口の各補強テープの位置関係を示した断面図である。
【符号の説明】
Ｂ      前ポケット部
Ｃ      筐体
Ｔ２，Ｔ３，Ｔ４，Ｔ６    補強テープ
６      蓋板
１１    背護板
１６    大襠板
２０    大仕切板
【図１】
2004201960.tif 000003
【図２】
2004201960.tif 000004
【図３】
2004201960.tif 000005
【図４】
2004201960.tif 000006
【図５】
2004201960.tif 000007
【図６】
2004201960.tif 000008
【図７】
2004201960.tif 000009
【図８】
2004201960.tif 000010
【図９】
2004201960.tif 000011
【図１０】
2004201960.tif 000012
【図１１】
2004201960.tif 000013
【図１２】
2004201960.tif 000014